(57)【特許請求の範囲】
【請求項１】
複数の設置された光源と外部光源とを含む空間内の光分布を制御する方法であって、
前記空間内の複数の測定領域において前記複数の設置された光源及び前記外部光源からの光の輝度レベルを測定するステップと、
前記複数の測定領域の各々に関する前記測定された輝度レベルと所定の目標輝度レベルとの間の平均二乗誤差が最小化されると共に前記複数の設置された光源により消費されるエネルギの量が最小化されるように条件を最適化すべく、前記測定された輝度レベルに基づいて、前記設置された光源の各々の強度レベル及び前記空間に侵入する前記外部光源の光の量を同時に調整し、制御するステップと、
を有する方法。
【請求項２】
前記設置された光源の各々の強度レベル及び前記空間に侵入する前記外部光の量が、中央コントローラにより制御される請求項１に記載の方法。
【請求項３】
前記設置された光源の各々の強度レベルが電灯コントローラにより制御され、前記空間に侵入する前記外部光の量が窓処理具コントローラにより制御される請求項１に記載の方法。
【請求項４】
前記調整するステップが、前記複数の設置された光源の各々の強度を第１の適応ステップサイズにより反復調整すると共に前記空間に侵入する前記外部光の量を第２の適応ステップサイズにより反復調整することにより実行され、前記第１及び第２の適応ステップサイズが前記所定の目標輝度レベルと前記測定された輝度レベルとの間の差分及び前記エネルギの消費に依存する請求項１に記載の方法。
【請求項５】
前記空間の所与の領域内の人の存在を検出するステップ、及び該検出に基づいて前記目標輝度レベルを調整するステップを更に有する請求項１に記載の方法。
【請求項６】
複数の設置された光源と外部光源とを含む空間内の光分布を制御するシステムであって、
前記空間内の複数の測定領域において前記複数の設置された光源及び前記外部光源からの光の輝度レベルを測定する複数のセンサと、
前記設置された光源の各々の強度レベル及び前記空間に侵入する前記外部光源からの光の量を制御する１以上のコントローラと、
を有し、
前記１以上のコントローラは、前記設置された光源の各々の強度レベル及び前記空間に侵入する前記外部光の量を、前記複数の測定領域の各々に関する前記測定された輝度レベルと所定の目標輝度レベルとの間の平均二乗誤差が最小化されると共に前記複数の設置された光源により消費されるエネルギの量が最小化されるように条件を最適化すべく同時に調整する、
システム。
【請求項７】
前記設置された光源の各々の強度レベル及び前記空間に侵入する前記外部光の量が、中央コントローラにより制御される請求項６に記載のシステム。
【請求項８】
前記設置された光源の各々の強度レベルが電灯コントローラにより制御され、前記空間に侵入する前記外部光の量が窓処理具コントローラにより制御される請求項６に記載のシステム。
【請求項９】
前記１以上のコントローラが、前記複数の設置された光源の各々の強度を第１の適応ステップサイズにより反復調整すると共に前記空間に侵入する前記外部光の量を第２の適応ステップサイズにより反復調整し、前記第１及び第２の適応ステップサイズが前記所定の目標輝度レベルと前記測定された輝度レベルとの間の差分及び前記エネルギの消費に依存する請求項６に記載のシステム。
【請求項１０】
前記空間の所与の領域内の人の存在を検出する占有センサを更に有し、該検出に基づいて前記目標輝度レベルが調整される請求項６に記載のシステム。
【請求項１１】
複数の設置された光源と外部光源とを含む空間内の光分布を制御する処理をプロセッサに実行させる命令を記憶した非一時的コンピュータ読取可能な媒体であって、前記処理が、
前記空間内の複数の測定領域において前記複数の設置された光源及び前記外部光源からの光の輝度レベルを測定するステップと、
前記複数の測定領域の各々に関する前記測定された輝度レベルと所定の目標輝度レベルとの間の平均二乗誤差が最小化されると共に前記複数の設置された光源により消費されるエネルギの量が最小化されるように条件を最適化すべく、前記測定された輝度レベルに基づいて、前記設置された光源の各々の強度レベル及び前記空間に侵入する前記外部光源の光の量を同時に調整し、制御するステップと、
を有するコンピュータ読取可能な媒体。
【発明の詳細な説明】
【技術分野】
【０００１】
本発明は、照明制御に係り、より詳細には、複数の設置された光源及び外部光源を含む空間における光分布を制御する方法及びシステムに関する。
【背景技術】
【０００２】
電灯及び昼光を制御するための現在のビル制御システムは、殆どの場合、独立した制御システムを使用している。昼光と電灯との統合制御は、次のステップの近代的照明制御方法のように思われる。近年、“統合された”制御システムが幾つかの米国特許に開示されている。下記は２つの例である。
【０００３】
米国特許第7111952B2号公報は、窓処理具（window treatments）及び電灯のための組み合わされたコントローラを開示している。このシステムは、電灯の調光レベル及び部屋内の昼光の量を制御するための昼光の感知を含んでいる。このシステムは、サブシステムを制御するための中央コントローラを使用している。しかしながら、動作は逐次的である。即ち、先ず窓処理具が完全に開放／閉鎖されるまで調整され、次いで電灯が残りの所要の光を供給するように調整される。
【０００４】
米国特許第7566137B2号公報は、単一のセンサ又は複数のセンサに基づく電灯及び窓処
理具の組み合わされたコントローラを開示している。電灯は、単一のセンサ又は複数のセンサを備えて区域にグループ化される。複数のセンサの場合、これらのセンサの出力は単に平均される。複数区域の制御は、各区域に存在する事前にプログラムされたコントローラにより達成される。当該電灯及び窓処理具の組み合わされたコントローラは逐次動作に基づくものである。例えば、先ずブラインドが閉じ又は開かれ、次いで電灯が調整される。
【０００５】
斯かる特許文献は、今日の個別の制御から統合された閉ループ制御への自然な進展を示すが、これらは欠点を伴う。
【０００６】
上述したシステムの１つの共通の欠点は、これらが逐次的に動作することである。例えば、先ずブラインドが完全に閉じ又は開き、これに電灯の動作が後続する。このようなシステムは、ユーザを満足させない可能性を有する。例えば、ユーザが設定点（設定値）を変更した場合、又は占有（在室）センサが環境の変化を検出し、設定が変更される（オフ位置からオン位置へ等）必要がある場合、照明の好みが満足されたかを確認するために、ユーザは逐次動作が完了されるまで待たなければならない。窓処理具はゆっくり動作するので、全体の待ち時間は、1分又はそれ以上ではなくても、数秒の長さであり得る。今日の迅速な反応を要する状況では、ユーザは斯かる長い待ち時間に我慢できず、結局は完全な手動制御に逆戻りする。
【０００７】
不均一な分布の昼光の場合、米国特許第7566137号は、各区域の電灯に対して事前設定
値を使用することを提案している。このようなシステムは、設置の間に校正を必要とすると共に、建物の状況（内部又は外部）が変化して場合に継続的な保守を必要とするので、費用が掛かる。この特許は、複数センサ的アプローチに言及しているが、その主たる目的は、これらセンサの出力の単純な平均によりロバスト性を向上させることである。このような平均化は、均一な分布の光の要件のためには働くが、制御された不均一な分布のために働くことはない。加えて、このようなシステムはエネルギ節約の点では最適ではない。
【０００８】
このように、上述したシステムは、最適なエネルギ低減照明制御のための複数センサ方法をサポートしていない。
【発明の概要】
【発明が解決しようとする課題】
【０００９】
本開示は、全体の光分布を所与の要件に従って最適化すると共にエネルギ消費を低減するための、窓処理具（例えば、ブラインド、シェード（日よけ）等）及び電灯の適応的統合制御のための枠組みを含むものである。
【課題を解決するための手段】
【００１０】
提案される枠組みは、複数センサ及び統合制御システムを利用して、電灯との昼光の統合された制御（例えば、窓のブラインド、シェード等）を可能にする。当該制御システムは、一実施態様では、中央コントローラ（昼光と電灯との共同制御）を含み、他の実施態様では電灯及び窓処理具の各々のための個別のコントローラを含む。複数センサは当該空間内の照明状況をサンプリングし、特定の実施態様では複数センサは分散することができる。当該統合制御システムは、照明分布要件を満たすために最適な電灯照明及び昼光照明を提供する。更に、当該枠組みの特定の実施態様は、電灯と電動窓処理具との並行運転に基づくものである。このようにして、当該枠組みは、有利にもエネルギ消費を低減すると共にユーザの視覚的快適さを改善し、前述した逐次制御方法の欠点を被ることがない。
【００１１】
本発明の種々の実施態様における幾つかの代表的フィーチャは下記の通りである：
・並行動作による解決策。即ち、窓処理具及び電灯は実質的に同時に動作する（逐次的ではない）。
・当該制御システムは、空間内の照明分布を均一な分布又は不均一な分布へと制御するために複数のセンサを新規な方法で使用する。
・当該制御システムは、窓処理具及び電灯を調整するためにセンサを介して照明状況を監視する。
・当該制御システムは、統合された解決策を実施化するために単一“ボックス”コントローラは必要としない。窓処理具コントローラ及び電灯コントローラは簡単に情報を交換することができるのみならず、これらコントローラは各システムに組み込むことができる。
・当該システムは、照明条件を、ユーザの照明設定点及びエネルギ消費低減目標が閉ループ動作を介して満足されるように制御する。
・占有（在室）センサ等の他のセンサも、当該システムに組み込むことができる。
・グレア（眩しさ）制御（太陽時型及び／又はセンサ型を用いて）等の付加的フィーチャも、当該システムに組み込むことができる。
【００１２】
一実施態様において、本発明は複数の設置された光源及び外部光源を含む空間内の光分布を制御する方法に関するもので、該方法は、上記複数の設置された光源及び外部光源からの光の輝度レベル（luminance levels）を上記空間内の複数の測定領域において測定するステップと、該測定された輝度レベルに基づいて上記設置された光源の各々の強度レベル（intensity level）及び上記空間に侵入する上記外部光源からの光の量を制御するステップと、上記設置された光源の各々の強度レベル及び上記空間に侵入する外部光の量を、上記複数の測定領域の各々に対する上記測定された輝度レベルと所定の目標輝度レベルとの間の平均二乗誤差が最小化されると共に上記複数の設置された光源により消費されるエネルギの量が最小化される条件を最適化すべく、同時に調整するステップとを含む。
【００１３】
他の実施態様において、本発明は複数の設置された光源及び外部光源を含む空間内の光分布を制御するシステムに関するもので、該システムは、上記複数の設置された光源及び外部光源からの光の輝度レベルを上記空間内の複数の測定領域において測定する複数のセンサと、該測定された輝度レベルに基づいて上記設置された光源の各々の強度レベル及び上記空間に侵入する上記外部光源からの光の量を制御する少なくとも１つのコントローラとを含み、該少なくとも１つのコントローラは、上記設置された光源の各々の強度レベル及び上記空間に侵入する外部光の量を、上記複数の測定領域の各々に対する上記測定された輝度レベルと所定の目標輝度レベルとの間の平均二乗誤差が最小化されると共に上記複数の設置された光源により消費されるエネルギの量が最小化される条件を最適化すべく同時に調整する。
【００１４】
他の実施態様において、本発明はプロセッサに複数の設置された光源及び外部光源を含む空間内の光分布を制御する処理を実行させる命令を記憶した非一時的コンピュータ読取可能な媒体に関するもので、上記処理は、上記複数の設置された光源及び外部光源からの光の輝度レベルを上記空間内の複数の測定領域において測定するステップと、該測定された輝度レベルに基づいて上記設置された光源の各々の強度レベル及び上記空間に侵入する上記外部光源からの光の量を制御するステップと、上記設置された光源の各々の強度レベル及び上記空間に侵入する外部光の量を、上記複数の測定領域の各々に対する上記測定された輝度レベルと所定の目標輝度レベルとの間の平均二乗誤差が最小化されると共に上記複数の設置された光源により消費されるエネルギの量が最小化される条件を最適化すべく、同時に調整するステップとを含む。
【００１５】
一般的に、本発明の種々の態様は、本発明の範囲内で可能な如何なる方法においても組み合わせ及び結合することができる。本発明と考えられる主題は、本明細書の終わりの請求項において特に指摘され、明確に記載される。本発明の上述した及び他のフィーチャ及び利点は、添付図面に関連してなされる後述する詳細な説明から明らかとなるであろう。
【図面の簡単な説明】
【００１６】
【図１】図１は、本発明の一実施態様による照明制御システムの概略図を示す。
【図２】図２は、本発明の他の実施態様による照明制御システムの概略図を示す。
【図３】図３は、本発明の一実施態様による制御システムの動作のフローチャートを示す。
【図４】図４は、本発明の一実施態様による適応型コントローラの構成の概略図を示す。
【図５】図５は、本発明の他の実施態様による適応型コントローラの構成の概略図を示す。
【図６】図６は、空間内での複数センサ的な電動窓処理具制御による基準方法を示す。
【図７】図７は、本発明の一実施態様による空間内での複数センサ的な電動窓処理具制御による方法を示す。
【図８】図８は、適応型アルゴリズムの一実施態様の動作を時間の関数として示す。
【図９】図９は、基準システムの動作を示す。
【発明を実施するための形態】
【００１７】
本明細書における特定の実施態様は、昼光及び1以上の照明器具からの電灯光の制御を
統合することにより均一の又は制御された光分布を供給するシステム及び方法を説明する。該統合された制御システムは、有利には、センササンプリング点における測定輝度の平均二乗誤差を最小にすると共に、エネルギ費用関数を最小にすることに基づくものとすることができる。
【００１８】
複数の制御される照明器具を有する空間においては、これら照明器具は単一のオフィス内であり得るか（空間内の均一な照明）、又は不均一な分布のための作業照明光であり得る（間仕切り室等の複数のオフィス又は作業灯を備えた単一のオフィス）。斯かる空間の種々の位置における光レベルをサンプリングするために複数のセンサを設置することができる。この場合、統合閉ループ制御アルゴリズムは、全体としての所望の光分布及びエネルギ低減が達成されるように、各照明器具からの光レベルを調整すると共に窓処理具を制御する。
【００１９】
図１は、本明細書で説明される構成の一実施態様を示す。図１のシステムは中央コントローラ１０２を含み、該中央コントローラは空間用の光センサ１２１、１２２及び１２３から、並びに外部光（例えば、日光）用の光センサ１０４からの入力を受ける。ユーザ入力（ユーザ設定点入力）１０１並びに上記センサ１０４、１２１、１２２及び１２３からのセンサデータは中央コントローラ１０２により処理されて適切な動作条件を生成し、これに応じて、該中央コントローラ１０２は電灯１１１及び１１２の強度を調整すると共に窓処理具１０３を制御して当該空間に侵入する外部光の量を修正する。尚、“日光”なる言及は当該空間の外部の光を日光に限定するものではないことに注意されたい。日光用の光センサ１０４は、当該空間の外部の如何なる光も又は光源に固有の光を感知することができる。
【００２０】
図２は、本発明の他の実施態様を示す。該システムは、複数のコントローラを、即ち電灯２２１、２２２及び２２３を各々制御するための電灯コントローラ２１１、２１２及び２１３、並びに電動窓処理具２０３を制御するための窓処理具コントローラ２０２を含む。空間用の光センサ２３１、２３２及び２３３並びに外部光（例えば、日光）用の光センサ２０４は、対応する位置における光強度を測定する。この場合、全てのセンサ情報及びユーザの要求２０１は上記コントローラの各々に供給される。これらコントローラは、相互間で情報も共有する。例えば、電灯コントローラは電灯強度レベルを窓処理具コントローラに送り、該窓処理具コントローラは上記電灯コントローラに対して利用可能な外部光の量及び当該窓処理具の動作状態（例えば、窓ブラインドが開いているパーセンテージ）を通知する。
【００２１】
図１及び図２に示す実施態様は、技術、価格及び事業戦略の観点から各々の利点を有している。当該方法は、占有（在室）センサ及びグレア制御方法等の追加のフィーチャを組み込むこともできる。
【００２２】
図３は、本明細書で説明される一実施態様による電灯及び窓処理具を制御する反復処理３００を示す。
【００２３】
３０１において、光源からの光の輝度レベル（luminance level）が当該空間内の別々
の測定領域におけるセンサにより測定され、その場合において、上記測定領域は点状の測定領域（例えば、当該空間の天井における２０の異なる箇所）とすることができるか、又は非点状の測定領域とすることができる。複数の領域において光源からの光を測定する狙いは、当該空間内の光分布を得ることである。測定領域の数がｋであり、設置された光源の数がＮであると仮定すると、各領域における測定される輝度レベル
【数１】
0006038120.tif 000002
は、ｋ個の領域におけるＮ個の設置された内部光源からの光レベル
【数２】
0006038120.tif 000003
による貢献分、及びｋ個の領域における外部光の輝度レベル
【数３】
0006038120.tif 000004
からの貢献分を有すると仮定され、ここでｎは時間表示である。
【００２４】
一例として、ｙ６は測定領域６における測定される輝度レベルであり、dl６は該測定される輝度レベルに対する外部光源（例えば、窓から侵入する日光）による貢献分であり、ｘ２は光源２における実際の光レベルである。
【００２５】
３０２において、照明器具及び外部光源の強度を調整するための適応ステップが決定される。例示的な実施態様は、前記コントローラの、センサのサンプリング点における測定された輝度の平均二乗誤差を最小化すると共にエネルギ費用関数を最小化することに基づく方法をとる。光レベルx={x1,x2,…,xN}のＮ個の照明器具、前記窓における昼光の輝度レベルがd(n)であること、及びｋ個のサンプル点までの外部光の伝達関数がdl={dl1,dl2,…,dlk}であることを仮定すると、該ｋ個のサンプル点（前記センサが配置された）における輝度レベルは、
【数４】
0006038120.tif 000005
と記述することができ、ここで、Ａは電灯とサンプル点（センサ）との間の関係を記述するNxkのマトリクスであり、w(n)は前記窓処理具の外部光の透過係数（例えば、窓のブラインドの傾斜角に関係する）である。尚、d(n)は前記外部光センサにより測定されることに注意されたい。サンプル点における所望の光レベルと測定される輝度との間の誤差は、
【数５】
0006038120.tif 000006
と記述することができ、ここで、ｕはサンプル点における所望の設定点（設定値）である。均一な光分布に対しては、この値は単一の値となる。
【００２６】
本実施態様において、当該適応型照明コントローラは、前記平均二乗誤差及び電力消費を最小化するように構成される。これを達成する１つの方法は、下記の連立方程式：
【数６】
0006038120.tif 000007
により記述される閉ループ系によるものであり、ここで、μは適応ステップサイズであり、P(n)は全電力消費である。この場合、当該照明システムは上記照明の平均二乗誤差の最小化に向けて適応化される一方、窓の透過度は全体の電力消費及び照明の平均二乗誤差を最小化するように適応される。複数の窓透過ユニットの場合、同様の構成を形成することができ、その場合、w(n)はベクトルとなるであろう。以下では、一般性を失うことなく、説明の容易さのために単一の窓透過ユニットが仮定される。
【００２７】
電力消費は、個々の照明器具の調光レベルの和により近似することができる。即ち、
【数７】
0006038120.tif 000008
である。
【００２８】
これは、調光レベル対電力の非線形により、正確な関係ではない。しかしながら、これは、制御の目的にとっては良好な近似である。
従って、
【数８】
0006038120.tif 000009
が得られる。
【００２９】
∂xi(n)/∂wの正確な表現を見付けることは簡単ではない。しかしながら、当該適応型
制御方法の例示的実施態様に対しては、一定の係数を有する近似が使用される。この近似は式(1)の関係に、即ちx(n)A=y(n)-dld(n)w(n)に基づくものである。これは、∂xi(n)/∂w=-ci*d(n)を意味し、ここでciは定数である。この一定の係数は、電灯照明器具に対する外部光分布に依存する。これら係数の正確な値を見付けることは簡単ではない。全ての実用的な目的のために、一実施態様は、これらの全ては同一であり、この一定の係数は適応ステップサイズと結合されると共に設置の間に最適動作のために校正されると仮定する。
【００３０】
これらの近似の使用、及び上述した式の更なる簡略化の結果として、当該制御方法を記述する下記の連立適応方程式が得られる：
【数９】
0006038120.tif 000010
【００３１】
上記式におけるd(n)の効果が適応化を外部光の量に基づいて加速し又は減速することであることに気付けば、更なる簡略化を依然として実行することができる。更なる実施態様は、この効果を無視し、これにより（及び全てのciが等しいという簡略化を用いて）窓透過度の適応化を下記の式に簡略化することができる：
【数１０】
0006038120.tif 000011
３０３において、照明器具の強度及び窓を介して侵入する外部光が調整される。ｎの値が増加され、当該反復ループ３００は定常状態に到るまで継続する。
【００３２】
図４及び図５は、上記制御方法のブロック図を本発明の２つの例示的構成を用いて示す。
【００３３】
図４に示されるように、中央コントローラ４０２は電灯４２１及び窓処理具４０３の両方を制御する。各領域に対する所要の輝度レベル４０１は、内部センサ４３１〜４３４及び外部光センサ４０４からの測定値と一緒に中央コントローラ４０２に供給される。中央コントローラ４０２は、上述した適応化手順を用いて、適切な調光制御信号４１１を生成して電灯光強度を制御すると共に、窓処理具制御信号４０５を生成して窓を介して当該空間に侵入する外部光（例えば、昼光）の量を調整する。
【００３４】
図５において、電灯コントローラ５０２は電灯５２１を制御し、コントローラ５０３は窓処理具５０４を制御する。各領域に対する所要の輝度レベル５０１は、内部センサ５３１〜５３４及び外部光センサ５０５からの測定値と一緒に、電灯コントローラ５０２及び窓処理具コントローラ５０３に入力される。コントローラ５０２及び５０３は、センサデータ及び自身の動作状態を交換する。電灯コントローラ５０２及び窓処理具コントローラ５０３は、前述した適応化手順を用いて、電灯光強度及び当該空間に侵入する外部光の量を各々制御する。
【実施例】
【００３５】
［シミュレーションされた性能評価］
一実施例として、長方形の一人用オフィスを考察する。このオフィスの床見取り図が図６及び７に示されている。図６は、光分布を制御する１つの方法を示し、該方法は図７に示される開示された制御方法の一構成例に対してシステム性能を比較するための基準技術となるものである。本実施例においては、４つの照明器具６１１〜６１４又は７１１〜７１４が存在し、該オフィスは１つの窓６０１又は７０１を有する。一例として、窓６０１又は７０１を介して当該オフィスに侵入する外部光の量を調整するために、電動窓ブラインドが使用される。この実施例では、上記照明器具の各々の下に１つずつの、４つのセンサ６２１〜６２４又は７２１〜７２４が配置されている。尚、センサの数は照明器具の数と同一である必要はなく、これらセンサは各照明器具の下にある必要はないことに注意されたい。
【００３６】
数(1,0.5,0.35,0.25)は、関係行列、即ち
【数１１】
0006038120.tif 000012
の基を記述している。
【００３７】
サンプル点における正規化された自然光の分布は、dl={1.5,1.0,0.5,0.5}と仮定され、正規化された所望の輝度レベルはu={2.1,2.1,2.1,2.1}と仮定される。各照明器具からの
最大光は１に正規化される。
【００３８】
図６に示される基準技術は複数のセンサを仮定するが、各電灯及び窓のブラインドは独立に適応化する。図６及び７におけるパーセント数は、シミュレーションされた制御システムの定常状態の結果を示す。シミュレーションの開始時において、全ての電灯はオフされ、窓のブラインドは閉じられた。図６に示されるように、現在の最新の技術は、全ての電灯は１００％オンされ且つブラインドは完全には開かれていない（７３％のみ）ので、利用可能な外部光を十分に利用していない。図７において、本発明の一実施例によるシステムの場合、窓７０１に隣接する照明器具７１１はオフされ、扉に隣接する照明器具７１２は４３％に調光される。当該部屋の暗い領域にある他の照明器具７１３及び７１４は、略全能力（各々、９８％及び９５％）までオンされる。この定常状態の結果は、図６のシステムと比較して、約４２％の照明電力の低減を示す。加えて、このシステムは一層多くの外部光（例えば、日光）を供給し、これは潜在的に在室者の心地よさをもたらす。人の存在が検出されない場合に光度を低減することができるように、オプションとしての在室者センサ（ＯＳ）７３０を含めることができる。
【００３９】
図８は、当該制御システムの動作を、図７の上記実施例の各照明器具及び窓透過度に関して時間の関数として示す。最初に、電灯はオフされ、ブラインドは完全に閉じられた。
【００４０】
適応型アルゴリズムが適用されたので、制御される個々のユニットは最適定常値まで変化し、窓のブラインドは完全に開かれた。
【００４１】
図９は、図６に示したシステムに関する対応する結果を示す。前述したように、このシステムはユーザの快適さ及びエネルギ節約の両方の点で最適ではない。
【００４２】
この開示内容は、ビル及び家庭における照明制御及びエネルギ管理に適用することができる。
【００４３】
上述した詳細な説明は、本発明がとることができる多くの形態の幾つかを述べた。上述した詳細な説明は、本発明の定義に対する限定としてではなく、本発明がとることができる選択された形態の解説として理解されることが意図されるものである。この開示の範囲を定めることを意図するものは、全ての均等物を含む請求項のみである。
【００４４】
本発明の原理は、最も好ましくは、ハードウェア、ファームウエア及びソフトウェアの何らかの組み合わせとして実施化される。更に、上記ソフトウェアは、好ましくは、部品、又は特定の装置及び／又は装置の組み合わせからなるプログラム記憶ユニット又はコンピュータ可読記憶媒体上に実体的に具現化されたアプリケーションプログラムとして実施化される。該アプリケーションプログラムは、何らかの好適なアーキテクチャを有するマシンにアップロードされ、斯かるマシンにより実行することができる。好ましくは、上記マシンは、1以上の中央処理ユニット（ＣＰＵ）、メモリ及び入力／出力インターフェース等のハードウェアを有するコンピュータプラットフォーム上で実施化される。上記コンピュータプラットフォームは、オペレーティングシステム及びマイクロ命令コードを含むことができる。ここに記載される種々の処理及び機能は、上記マイクロ命令コードの一部若しくは上記アプリケーションプログラムの一部の何れか、又はこれらの何からの組み合わせとすることができ、これらは、コンピュータ又はプロセッサが明示的に示されるか否かに拘わらず、斯様なコンピュータにより実行することができる。更に、当該コンピュータプラットフォームには、追加のデータ記憶ユニット及び印刷ユニット等の種々の他の周辺ユニットを接続することもできる。。
【図１】
0006038120.tif 000013
【図２】
0006038120.tif 000014
【図３】
0006038120.tif 000015
【図４】
0006038120.tif 000016
【図５】
0006038120.tif 000017
【図６】
0006038120.tif 000018
【図７】
0006038120.tif 000019
【図８】
0006038120.tif 000020
【図９】
0006038120.tif 000021